【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
分析対象の検体が収容された検体容器と、試薬が収容された試薬容器と、前記検体と試薬とを混合して反応させる反応セルと、前記検体容器から前記反応セルに前記検体を分注する検体分注機構と、前記試薬容器から前記反応セルに前記試薬を分注する試薬分注機構と、前記反応セルに収容された検体と試薬の混合液の分析を行う分析部とを備えた自動分析装置において、
前記自動分析装置の振動を検出する振動検出部と、
前記振動検出部により検出された振動の周波数解析を行う周波数解析部と、
前記周波数解析部による解析結果に基づいて、前記振動の発生要因を判定する振動要因判定部と、
振動要因判定部での判定結果に基づいて、前記自動分析装置の状態遷移を制御する制御部と
を備えたことを特徴とする自動分析装置。
【請求項２】
請求項１記載の自動分析装置において、
前記振動要因判定部は、前記周波数解析部の解析結果に基づいた前記振動の周波数、加速度、継続時間の少なくとも何れか１つに基づいて、前記振動の発生要因を判定することを特徴とする自動分析装置。
【請求項３】
請求項１記載の自動分析装置において、
前記振動要因判定部は、前記周波数解析部の解析結果に基づいた前記振動の周波数が、地震による振動の周波数範囲として予め定めた地震判定範囲にある場合に、前記振動の要因を地震であると判定するとこを特徴とする自動分析装置。
【請求項４】
請求項１記載の自動分析装置において、
前記振動要因判定部は、前記周波数解析部の解析結果に基づいた前記振動の周波数が、地震による振動の周波数範囲として予め定めた地震判定範囲にあり、かつ、前記周波数解析部の解析結果に基づいた前記振動の加速度が、前記自動分析装置に悪影響を及ぼす加速度範囲として予め定めた影響加速度判定範囲にある場合に、前記振動の要因を地震であると判定するとこを特徴とする自動分析装置。
【請求項５】
請求項３又は４記載の自動分析装置において、
前記地震判定範囲は、少なくとも１０Ｈｚの周波数を含むことを特徴とする自動分析装置。
【請求項６】
請求項１記載の自動分析装置において、
前記振動要因判定部は、前記周波数解析部の解析結果に基づいた前記振動の周波数が、地震以外による振動であって分析結果に悪影響を及ぼす振動の周波数範囲として予め定めた分析影響判定範囲にある場合に、前記振動の要因を分析影響振動であると判定するとこを特徴とする自動分析装置。
【請求項７】
請求項１記載の自動分析装置において、
前記振動要因判定部は、前記周波数解析部の解析結果に基づいた前記振動の周波数が、地震以外による振動であって分析結果に悪影響を及ぼす振動の周波数範囲として予め定めた分析影響判定範囲にあり、かつ、前記周波数解析部の解析結果に基づいた前記振動の加速度が、地震以外による振動であって分析結果に影響を及ぼす振動の加速度範囲として予め定めた分析影響判定範囲にある場合に、前記振動の要因を分析影響振動であると判定するとこを特徴とする自動分析装置。
【請求項８】
請求項６又は７記載の自動分析装置において、
前記分析影響判定範囲は、少なくとも１００Ｈｚの周波数を含むことを特徴とする自動分析装置。
【請求項９】
請求項１記載の自動分析装置において、
前記制御部は、前記振動要因判定部での判定結果に基づく前記自動分析装置の状態遷移として、自動分析装置の動作停止を含むことを特徴とする自動分析装置。
【請求項１０】
請求項１記載の自動分析装置において、
前記自動分析装置の少なくとも可動部を覆ってユーザーの可動部へのアクセスを制限するカバー部を備え、
前記制御部は、前記振動要因判定部での判定結果に基づく前記自動分析装置の状態遷移として、自動分析装置の前記カバー部を閉じた状態での固定を含むことを特徴とする自動分析装置。
【請求項１１】
請求項１記載の自動分析装置において、
前記制御部は、前記振動要因判定部での判定結果に基づく前記自動分析装置の状態遷移として、自動分析装置における可動部への電源供給の停止を含むことを特徴とする自動分析装置。
【請求項１２】
請求項１記載の自動分析装置において、
前記制御部は、前記振動要因判定部での判定結果に基づく前記自動分析装置の状態遷移として、自動分析装置内の液体の排水を含むことを特徴とする自動分析装置。
【請求項１３】
請求項１記載の自動分析装置において、
前記制御部は、前記周波数解析部による解析結果に基づいて、前記分析部で得られた分析結果の信頼性を判定することを特徴とする自動分析装置。
【請求項１４】
請求項１記載の自動分析装置において、
前記制御部は、地震発生による揺れの到達を予め報知する地震動発生情報に基づいて、前記自動分析装置の状態遷移を制御する機能を有することを特徴とする自動分析装置。
【手続補正２】
【補正対象書類名】明細書
【補正対象項目名】００１５
【補正方法】変更
【補正の内容】
【００１５】
全体制御装置１１５は、自動分析装置を構成する各機構の動作を制御するものであり、外部データ格納部３０７に予め格納された各種設定や各種プログラムに基づいて、検体の分析を行う分析処理や、自動分析装置に生じる振動の種類や程度を判別し、その結果に応じて自動分析装置の状態遷移を制御する振動対応処理（後述）などの動作を制御する。
【手続補正３】
【補正対象書類名】明細書
【補正対象項目名】００１８
【補正方法】変更
【補正の内容】
【００１８】
光学測定部１３０において、光学測定部１３０の光源ランプ１２０から反応セル２０３に照射された測定光１２０ａは、恒温水２０２に浸漬された反応セル１１２の反応液１１２ａを透過し、分光器１０７の回折格子２０５を経て波長毎に分光され、光検出器２０６によって検出されて、微小な（例えば、小さい場合には数ｐＡの）電気信号に変換される。光検出器２０６での検出信号２０６ａは、全体制御装置１１５の吸光度測定部２０７に送られて、吸光度の測定（比色分析）が行われる。吸光度測定部２０７における測定結果（すなわち吸光度）は、データ格納部１２２に送られて格納される。
【手続補正４】
【補正対象書類名】明細書
【補正対象項目名】００３８
【補正方法】変更
【補正の内容】
【００３８】
また、自動分析装置を停止させると同時に、反応槽２０１に満たされた恒温水２０２がこぼれることで装置の故障やユーザーの感電等が生じてしまうことを抑制するために、電磁弁２０８ａをオープン状態に固定して、急激に恒温水２０２を排水４０８する（図４のＳ２５０）。この時、恒温水２０２をすべて排水する必要はなく、地震等の振動でもこぼれない程度の液量になるまで排水を行う。なお、停電等により自動分析装置への電源供給が失われた場合において、オープン状態に固定できない電磁弁を使用する場合は、この場合にも排水できるように、ノーマルオープンの電磁弁を使用することも考えられる。ただし、恒温水２０２を排水した状態から、分析可能な状態にするためには、３０分程度の時間を要することがあるため、大型病院のように複数台の分析装置を所有し、例えば災害時においても一部の分析装置は常に分析可能な状態を維持したい場合もあるため、排水しない場合（図４のＳ２４１）が適切な場合もある。従って、排水するか否かについて、オペレータがＵＩ（ユーザーインタフェース３０８）上から設定できるようにする。
【手続補正５】
【補正対象書類名】明細書
【補正対象項目名】００３２
【補正方法】変更
【補正の内容】
【００３２】
本実施の形態の自動分析装置において、振動センサ１２３により振動が検出された場合には、その信号を高速フーリエ変換等により周波数解析処理し、その周波数がどのような周波数帯域にあるかを判定する（図４のＳ１００〜Ｓ１２０）。ここで、自動分析装置に影響を及ぼす種類の振動は大きく２種類ある。一方の振動は、地震などにより自動分析装置に生じる振動で発生する振動で、ユーザーや装置の安全性を害するリスクがある１０Ｈｚ帯域の比較的低い周波数の振動（危険振動）であり、他方の振動は、光検出器２０６から吸光度測定部２０７に微小電流で出力される検出信号２０６ａに影響を及ぼすことで分析結果の信頼性を欠如する可能性がある１００Ｈｚ帯域の振動である。周波数解析処理した振動の信号は、周波数毎の振動の大きさ、すなわち周波数特性であり、特定の周波数成分の振動の大きさを判別可能である。
【手続補正６】
【補正対象書類名】明細書
【補正対象項目名】００５０
【補正方法】変更
【補正の内容】
【００５０】
１０１  搬送ライン
１０２  ローター
１０３  試薬ディスク
１０４  反応ディスク
１０５ａ  検体分注機構
１０５ｂ  試薬分注機構
１０６  攪拌機構
１０８  反応セル洗浄機構
１０９ａ，１０９ｂ  ノズル洗浄機構
１１０  検体容器
１１１  検体ラック
１１２  反応セル
１１２ａ  反応液
１１３  試薬容器
１１５  全体制御装置
１１５ａ  電気信号変換部
１１５ｂ  比較部
１１５ｃ  制御部
１１６ａ，１１６ｂ  ノズル
１２０  光源ランプ
１２０ａ  測定光
１２１  検体分注位置
１２２  データ格納部
１３０  光学測定部
１５０  カバー部
２０１  反応槽
２０２  恒温水
２０６  光検出器
２０７  吸光度測定部
２０８  排水路
２０８ａ  電磁弁
２０９  建物排水設備
３０７  外部データ格納部
３０８  ユーザーインタフェース